(57)【要約】【課題】移動体から発信するマイクロを受信するテレビジョン中継に関し、受信アンテナの位置を予め登録した送信地点に対して方調調整を行うとするプリセット方調時の、操作時間を短縮、且つ簡略化し、緊急時等の操作にも迅速に対応可能とする。【解決手段】運用画面である方調操作画面の地図上に登録済みの送信地点をアイコンで表示し、このアイコンを選択し、または、選択した送信地点の周囲に複数送信地点が存在する場合にはアイコンと名称の一覧表から選択して、プリセット方調を行う。【選択図】  図１
2004159142.tif 000002
【特許請求の範囲】
【請求項１】
指向性を有する信号を受信するための受信アンテナ方向を制御する方法において、地図と、その地図上に登録された送信地点とを表示し、その所定の地図領域範囲に表示された送信地点のうち少なくとも一つを選択し、その選択された送信地点に応じて前記受信アンテナの方向調整動作行うことを特徴とする受信アンテナ制御方法。
【発明の詳細な説明】
【０００１】
【発明の属する技術分野】
本発明は、移動体に搭載されたように可搬形の送信装置から送信される指向性を有する信号、例えば、マイクロ波信号を受信する受信装置の備える受信アンテナの方向調整動作（方調動作）を制御する方法に関する。
【０００２】
【従来の技術】
従来、ＦＰＵ装置の受信アンテナの制御の方法としては、下記特許文献２の項目に掲げた特開平０６−６１９０４号公報に記載された技術がある。この技術は、所定の位置に対応する設定角データに基づいて、ＦＰＵ受信アンテナの水平角および垂直角を設定するものである。そして、特許文献２の段落００１６において、その従来例における中継用無線設備では、操作者がキーボードから、地名及びこの地名に対するＦＰＵ受信アンテナの設定角データを含むプリセット情報等を入力するとしている。そして、特許文献２の段落００１８〜段落００２０において、所定の時刻になると、その入力された地名と、その地名に対する設定角データとが取り出されて、その取り出された設定角データに従ってＦＰＵ受信アンテナの角度が設定されるとしている。
【０００３】
また、下記特許文献１の項目に掲げた特開２０００−３４１２２４号公報には、ＦＰＵ装置の送信機と受信機の設置において、送信機を設置する設置地点を、受信基地局側のディスプレイ装置に表示される地図上に表示することが開示されている。その開示内容は、特許文献１の図１においても示されている。
【０００４】
【特許文献１】
特開２０００−３４１２２４号公報
【０００５】
【特許文献２】
特開平０６−６１９０４号公報
【０００６】
【発明が解決しようとする課題】
上述の従来技術には、複数の送信地点を登録して有る場合に、それら複数の登録された送信地点のうち、送信装置が搭載された移動体が存在し、その送信装置と受信装置とで通信を行おうとしている送信地点を選択し、該選択された送信地点の方向へ受信アンテナを向けるようにする場合に、その選択の方法については、なにも記載されていない。
【０００７】
図２は、複数登録された送信地点のうちの一つを選択し、選択された送信地点の方向へ受信アンテナを向ける方法の一例を説明するための図である。この図に示すように、受信アンテナを方向調整するために、以下の操作が行われる。
（１）プリセット・ボタン１が押下げされることで、運用画面である方調画面１００の表示からプリセット画面１１０の表示に切り替わる。
（２）プリセット画面１１０において、名称一覧リストから任意の送信地点の名称が選択される。
（３）その選択された状態で、方調開始ボタン２が押されることで、スタート確認ウィンドウ１２０が表示される。
（４）スタートボタン３が押されることで、プリセット方調が開始され、受信アンテナが選択された送信地点の方向へ向くように動かされる。そして、画面が切り替えられて方調画面１００の表示に戻る。
【０００８】
以上説明したように、通常の運用時に表示する方調画面から、一旦プリセット画面１１０の表示に切り替わる。しかしながら、そうすることによって、プリセット画面１１０が表示されている間は、方調画面１００による現在の運用状態の確認を目視により行うことができなくなる。さらに、表示切り替えによる待ち時間が生じることにより、その待ち時間によって、緊急時の運用にとって、緊急操作を行うことの妨げとなる場合がある。
【０００９】
また、名称一覧リストから任意の発信地点を選択するため、登録した名称によっては判断が困難である場合がある。
【００１０】
【課題を解決するための手段】
本発明は、上述のような問題を解決するために為されたものであり、指向性を有する信号を受信するための受信アンテナ方向を制御する方法において、地図と、その地図上に登録された送信地点とを表示し、その所定の地図領域範囲に表示された送信地点のうちうち少なくとも一つを選択し、その選択された送信地点に応じて前記受信アンテナの方向調整動作行うものである。
【００１１】
【発明の実施の形態】
図１は、本発明に関わる、複数登録された送信地点のうちの一つを選択し、選択された送信地点の方向へ受信アンテナを向ける方法の一実施例を説明するための図である。この図に示すように、受信アンテナを方向調整するために、以下の操作が行われる。
（１）ポイント方調ボタン４が押下げされると、過去に登録された送信地点の情報である緯度経度情報に応じて、通常の運用画面である方調画面１０の地図２０上に、登録された送信地点が白丸印のアイコンでもって表示される。
【００１２】
ここで、アイコンは、色によって操作する受信アンテナで使用可能であるか否かを区別可能としてもよく、そのアイコンに附属された名称によって、登録されたプリセット名称を確認することができるとしてもよい。
（２）地図２０上に表示された送信地点の白丸印のアイコンか、あるいは地図２０上の所定地点を選択する。ここで、選択された白丸印のアイコンあるいは所定地点の周囲の所定地図領域範囲内にある送信地点のアイコンが、候補として選択される。この候補として選択された送信地点に関する送信地点情報が登録メモリから読み出され、その読み出された情報を基に、送信地点リスト３０が表示される。
【００１３】
ここで、送信地点リスト３０は、地図２０と共に表示されるので、送信地点リスト３０の表示に妨げられることなく、方調画面の地図２０による現在の運用状態の確認を目視により行うことが可能である。
（３）送信地点リスト３０、すなわち、所定の地図領域範囲内の送信地点の地点名称リストの中から、送信装置が搭載された移動体が存在し、その送信装置と受信装置とで通信を行おうとしている送信地点を選択する。
【００１４】
さらに、上述の所定地図領域範囲内に、複数の送信地点が有った場合、地図２０上に表示された複数の白丸印のアイコンが相互に重なり合って表示され、そのうちどのアイコンが選択されるべきアイコンなのかの判別が付けられない恐れがある。その場合であっても、所定の地図領域範囲内の送信地点の地点名称リストである送信地点リスト３０が表示されることで、選択されるべき送信地点を確実かつ容易に選択することができる。
（４）送信地点が選択された状態で、スタートボタン５が押し下げられることで、プリセット方調が開始され、受信アンテナが選択された送信地点の方向へ向くように動かされる。
【００１５】
以上説明したように、本発明によれば、地図２０上の送信地点を選択することによりプリセット方調を行うことが可能となる。さらに、選択した送信地点や地図上の位置の所定範囲領域に複数の送信地点が存在する場合には、該当する名称のリスト３０を表示することにより、迅速にプリセット方調を行うことができる。
【００１６】
【発明の効果】
上述したように本発明によれば、従来のプリセット方調操作では運用画面である方調画面からプリセット画面に切り替えて操作し、登録済みの全送信地点名称のリストから選択してプリセット方調を開始していたものを、本発明では、運用画面である方調画面の地図上に登録済みの送信地点位置情報を表示するようにして、画面切り替え操作をせずに視覚的にポイントを選択し、プリセット方調をスムーズに行うようにした表示・選択を行うことができるようにしたことにより、運用画面を表示した状態でプリセット方調操作を行うことを可能とした。
【００１７】
これにより、プリセット方調時の操作を簡略化し、実施時間を短縮することができ、緊急時の操作にも迅速に対応可能となった。
【図面の簡単な説明】
【図１】本発明の受信アンテナ制御方法の一実施例を説明するための図。
【図２】複数登録された送信地点のうちの一つを選択し、選択された送信地点の方向へ受信アンテナを向ける方法の一例を説明するための図。
【符号の説明】１：プリセットボタン、  ２：方調開始ボタン、  ３，５：スタートボタン、  ４：方調ボタン、  １０，１００：方調画面、  ２０：地図、  ３０：送信地点リスト、  １１０：プリセット画面、  １２０：スタート確認ウィンドウ。
【図１】
2004159142.tif 000003
【図２】
2004159142.tif 000004